(57)【要約】【課題】ＥＵＴＲＡＮの移動通信システムの資源及び有線資源を効率的に利用することのできる、基地局装置を提供する。【解決手段】ｅ−ＮｏｄｅＢ４が、マルチキャスト送信された送信データを受信し、ＭＢＭＳのサービスによるデータ送信の指示を検出する。するとｅ−ＮｏｄｅＢ４は、データ送信の指示の検出に基づいて、当該指示により特定される端末（ＵＥ）５であって、自装置との通信範囲に位置する配信先の１つまたは複数の端末（ＵＥ）５に対してＭＢＭＳのサービスによる無線のデータ送信処理を行う、１つのＰＤＣＰ（Packet Data Convergence Protocol）エンティティを起動する。そして、指示により特定される端末（ＵＥ）５へ、ＰＤＣＰを用いて、無線により送信データを送信処理する。【選択図】図１
2010178157.tif 000002
【特許請求の範囲】
【請求項１】
ＭＢＭＳ（Multimedia Broadcast/Multicast Service）のサービスを提供する移動通信システム内の、端末に対して無線により前記ＭＢＭＳのサービスによる送信データを無線送信する基地局装置であって、
前記ＭＢＭＳのサービスによるデータ送信の指示を検出するデータ配信検出手段と、
前記データ送信の指示の検出に基づいて、当該指示により特定される端末であって自装置との通信範囲に位置する配信先の１つまたは複数の前記端末に対して前記ＭＢＭＳのサービスによる無線のデータ送信処理を行う、１つのＰＤＣＰ（Packet Data Convergence Protocol）処理手段を起動するＰＤＣＰ起動手段と、
前記指示により特定される端末へ、無線により前記送信データを送信処理する前記ＰＤＣＰ処理手段と、
を備えることを特徴とする基地局装置。
【請求項２】
ＭＢＭＳ（Multimedia Broadcast/Multicast Service）のサービスを提供する移動通信システムであって、
前記ＥＵＴＲＡＮにおけるＭＢＭＳ装置が、
サービス提供対象の端末を収容する基地局装置に対して前記ＭＢＭＳのサービスを提供に伴う送信データをマルチキャスト送信するマルチキャスト送信手段を備え、
前記ＥＵＴＲＡＮにおける基地局装置が、
前記マルチキャスト送信された前記送信データを受信する送信データ受信手段と、
前記ＭＢＭＳのサービスによるデータ送信の指示を検出するデータ配信検出手段と、
前記データ送信の指示の検出に基づいて、当該指示により特定される端末であって自装置との通信範囲に位置する配信先の１つまたは複数の前記端末に対して前記ＭＢＭＳのサービスによる無線のデータ送信処理を行う、１つのＰＤＣＰ（Packet Data Convergence Protocol）処理手段を起動するＰＤＣＰ起動手段と、
前記指示により特定される端末へ、無線により前記送信データを送信処理する前記ＰＤＣＰ処理手段と、
を備えることを特徴とするＥＵＴＲＡＮ通信システム。
【請求項３】
前記送信データを前記基地局装置から受信する前記端末とを備えることを特徴とする請求項２に記載のＥＵＴＲＡＮ通信システム。
【請求項４】
ＭＢＭＳ（Multimedia Broadcast/Multicast Service）のサービスを提供する移動通信システム内の、端末に対して無線により前記ＭＢＭＳのサービスによる送信データを無線送信する基地局装置における処理方法であって、
前記基地局装置のデータ配信検出手段が、前記ＭＢＭＳのサービスによるデータ送信の指示を検出し、
前記基地局装置のＰＤＣＰ（Packet Data Convergence Protocol）起動手段が、前記データ送信の指示の検出に基づいて、当該指示により特定される端末であって自装置との通信範囲に位置する配信先の１つまたは複数の前記端末に対して前記ＭＢＭＳのサービスによる無線のデータ送信処理を行う、１つのＰＤＣＰ処理手段を起動し、
前記基地局装置の前記ＰＤＣＰ処理手段が、前記指示により特定される端末へ、無線により前記送信データを送信処理する
ことを特徴とする処理方法。
【請求項５】
ＭＢＭＳ（Multimedia Broadcast/Multicast Service）のサービスを提供する移動通信システムにおける処理方法であって、
前記ＥＵＴＲＡＮにおけるＭＢＭＳ装置のマルチキャスト送信手段が、サービス提供対象の端末を収容する基地局装置に対して前記ＭＢＭＳのサービスを提供に伴う送信データをマルチキャスト送信し、
前記ＥＵＴＲＡＮにおける基地局装置の送信データ受信手段が、前記マルチキャスト送信された前記送信データを受信し、
前記基地局装置のデータ配信検出手段が、前記ＭＢＭＳのサービスによるデータ送信の指示を検出し、
前記基地局装置のＰＤＣＰ（Packet Data Convergence Protocol）起動手段が、前記データ送信の指示の検出に基づいて、当該指示により特定される端末であって自装置との通信範囲に位置する配信先の１つまたは複数の前記端末に対して前記ＭＢＭＳのサービスによる無線のデータ送信処理を行う、１つのＰＤＣＰ処理手段を起動し、
前記基地局装置の前記ＰＤＣＰ処理手段が、前記指示により特定される端末へ、無線により前記送信データを送信処理する
ことを特徴とする処理方法。
【発明の詳細な説明】
【技術分野】
【０００１】
ＭＢＭＳ（Multimedia Broadcast/Multicast Service）のサービスを提供する基地局装置とその処理方法、移動通信システムとその処理方法に関する。
【背景技術】
【０００２】
３ＧＰＰ規格で規定される移動通信システム全体をＵＭＴＳ（Universal Mobile Telecommunications System）と呼ぶが、このＵＭＴＳは、大きく分けて、（１）コアネットワーク、（２）無線アクセスネットワーク、（３）端末の各ノード（領域）に分けて構成される。そして、無線アクセスネットワークはＵＴＲＡＮ（Universal Mobile Telecommunications network Terrestrial Radio Access network）と称される。またＵＴＲＡＮの中には、ノードＢ（Ｎｏｄｅ−Ｂ）、ＲＮＣ（Radio Network Controller；無線ネットワーク制御装置）と呼ばれる論理ノードがあり、ノードＢは無線基地局装置に相当する論理的な概念であり、またＲＮＣは、ＲＲＣ（Radio Resource Control；無線リソース制御）、ＲＬＣ（Radio Link Control；無線リンク制御）、ＭＡＣ（Medium Access Control；媒体アクセス制御）などのレイヤ２、レイヤ３の無線プロトコル機能を有している。
【０００３】
また３ＧＰＰでは、ＵＴＲＡＮ等のネットワーク資源を効率的に使用して、大容量の動画像等のコンテンツデータを、無線端末に配信する技術としてＭＢＭＳ（Multimedia Broadcast/Multicast Service）技術の標準化作業を行っている。
【０００４】
図４はＵＴＭＳの通信ネットワークシステムの構成を示す図である。
図５はＵＴＭＳにおけるＵＴＲＡＮと端末間の通信ネットワークシステムの構成を示す図である。
図６はＵＴＲＡＮと端末間の通信接続の概要を示す図である。
図４で示すように、ＵＴＭＳの通信ネットワークシステムは、コアネットワーク（ＣＮ）とＵＴＲＡＮと端末（ＵＥ）の各ノードが接続されている。そして、コアネットワーク（ＣＮ）は、ＭＢＭＳサービスを用いるコンテンツ配信サービスのための入り口として機能し、ＭＢＭＳ配信の制御等を行うＢＭ−ＳＣ（Broadcast-Multicast Service Center）、ＧＧＳＮ（Gateway GPRS(General Packet Radio Service) Support Node）、ＳＧＳＮ（Serving GPRS Support Node）を有し、ＵＴＲＡＮはＲＮＣとＮｏｄｅ−Ｂを有している。
【０００５】
ここで、図５で示すように、ＭＢＭＳのサービスを提供するＵＴＭＳの通信ネットワークシステムでは、端末（ＵＥ）に対してＭＢＭＳのサービスを提供する場合、ＵＴＲＡＮ内のＲＮＣ（Radio Network Controller；無線ネットワーク制御装置）が、そのＭＢＭＳの１つのサービスごとに、当該ＭＢＭＳのサービスを提供する先の端末（ＵＥ）を収容するＮｏｄｅ−Ｂ数だけ、重複したＰＤＣＰ（Packet Data Convergence Protocol）のエンティティを起動し、当該ＰＤＣＰの各エンティティが、送信データを送信先となる１つのＮｏｄｅ−Ｂそれぞれに対して送信する。
【０００６】
なお、ＭＢＭＳのサービスを提供するＵＴＭＳ内のＵＴＲＡＮとＵＥとの間では、図６で示すようなリンクが張られる。つまり、図６のＰＨＹは、各種の無線伝送技術を用いて伝送サービスを上位レイヤに提供するリンクである。ＰＨＹはトランスポートチャネルを介して上位レイヤのＭＡＣにリンクされる。また送信データはＭＡＣ（Medium Access Control；媒体アクセス制御）とＰＨＹとの間にトランスポートチャネルを介して伝えられる。
【０００７】
また、ＭＡＣ（Medium Access Control；媒体アクセス制御）は、無線リソースの割当と再割当のためのＭＡＣパラメータを提供するリンクである。ＭＡＣは論理チャネルを介して上位レイヤとしてのＲＬＣ（Radio Link Control；無線リンク制御）に連結される。論理チャネルは、データタイプにしたがって、制御チャネルまたはトラフィックチャネルとして分類される。一般に、制御チャネルはＣ−Ｐｌａｎｅの情報を伝送する時に使われて、トラフィックチャネルはＵ−Ｐｌａｎｅの情報を伝送するのに使われる。
【０００８】
また、ＲＬＣ（Radio Link Control；無線リンク制御）は、データの送達確認機能を提供する。上位レイヤからＳＤＵ（Service Data Unit）を渡され、ＲＬＣの処理能力に合せるためにデータサイズが調節され、ＲＬＣ ＳＤＵの分割と結合を実施する。ＲＬＣ ＳＤＵはＰＤＵ（Protocol Data Unit）としてＭＡＣ（Medium Access Control；媒体アクセス制御）に伝えられ、ＰＣＩ(Protocol Contorol Information)がＲＬＣ ＳＤＵに付加される。ＲＬＣバッファは上位レイヤから伝えられるＲＬＣ ＳＤＵまたはＲＬＣ ＰＤＵを格納するためにＲＬＣに存在する。
【０００９】
また、ＰＤＣＰは、ＲＬＣの上に位置し、無線インターフェースを介してネットワークプロトコルを介して伝えられるデータを效率よく伝送するプロトコルによるリンクである。ＲＯＨＣ等によってＰＤＣＰは有線ネットワークで利用されるヘッダ情報を除去しデータのみを効率良く無線区間に伝送する。
【００１０】
しかしながら、このようにＲＮＣが複数のＰＤＣＰエンティティを起動して、ＭＢＭＳのサービスによる送信データを、ＭＢＭＳのサービス提供先の端末を収容する各Ｎｏｄｅ−Ｂへ送信すると、ＲＮＣは１つの無線回線毎に１つのＰＤＣＰエンティティを使用するためＵＴＲＡＮのシステム資源及び有線資源を消費することによりPoint to Pointのサービス遅延を増加させるという問題がある。なお、ＵＴＲＡＮにおける関連技術として、ＰＤＣＰエンティティを、アクセスゲートウェイに有する技術が開示されている。
【先行技術文献】
【特許文献】
【００１１】
【特許文献１】特開２００７−３３６４９０号公報
【発明の概要】
【発明が解決しようとする課題】
【００１２】
ここで、３ＧＰＰでは次の世代（第４世代）の移動通信システムについての標準化作業を行っているが、その第４世代の移動通信システムに移行するまでの間、ＵＴＲＡＮの機能拡張を検討している。そしてこのＵＴＲＡＮの機能拡張を行った無線アクセスネットワークをＥＵＴＲＡＮ（Evolved Universal Mobile Telecommunications network Terrestrial Radio Access network）と呼ぶ。ＥＵＴＲＡＮでは、上述のＲＮＣのような無線ネットワーク制御装置において、ＭＢＭＳの１つのサービスごとに、当該ＭＢＭＳのサービスを提供する先の端末（ＵＥ）を収容するＮｏｄｅ−Ｂ数だけ、重複したＰＤＣＰ（Packet Data Convergence Protocol）のエンティティを起動すると、上記と同様の問題が発生するため、その問題の解消が求められている。
【００１３】
そこで、この発明は、ＥＵＴＲＡＮの移動通信システムの資源及び有線資源を効率的に利用することのできる、基地局装置とその処理方法、移動通信システムとその処理方法を提供することを目的としている。
【課題を解決するための手段】
【００１４】
上記目的を達成するために、本発明は、ＭＢＭＳ（Multimedia Broadcast/Multicast Service）のサービスを提供する移動通信システム内の、端末に対して無線により前記ＭＢＭＳのサービスによる送信データを無線送信する基地局装置であって、前記ＭＢＭＳのサービスによるデータ送信の指示を検出するデータ配信検出手段と、前記データ送信の指示の検出に基づいて、当該指示により特定される端末であって自装置との通信範囲に位置する配信先の１つまたは複数の前記端末に対して前記ＭＢＭＳのサービスによる無線のデータ送信処理を行う、１つのＰＤＣＰ（Packet Data Convergence Protocol）処理手段を起動するＰＤＣＰ起動手段と、前記指示により特定される端末へ、無線により前記送信データを送信処理する前記ＰＤＣＰ処理手段と、を備えることを特徴とする基地局装置である。
【００１５】
また本発明は、ＭＢＭＳ（Multimedia Broadcast/Multicast Service）のサービスを提供する移動通信システムであって、前記ＥＵＴＲＡＮにおけるＭＢＭＳ装置が、サービス提供対象の端末を収容する基地局装置に対して前記ＭＢＭＳのサービスを提供に伴う送信データをマルチキャスト送信するマルチキャスト送信手段を備え、前記ＥＵＴＲＡＮにおける基地局装置が、前記マルチキャスト送信された前記送信データを受信する送信データ受信手段と、前記ＭＢＭＳのサービスによるデータ送信の指示を検出するデータ配信検出手段と、前記データ送信の指示の検出に基づいて、当該指示により特定される端末であって自装置との通信範囲に位置する配信先の１つまたは複数の前記端末に対して前記ＭＢＭＳのサービスによる無線のデータ送信処理を行う、１つのＰＤＣＰ（Packet Data Convergence Protocol）処理手段を起動するＰＤＣＰ起動手段と、前記指示により特定される端末へ、無線により前記送信データを送信処理する前記ＰＤＣＰ処理手段と、を備えることを特徴とする移動通信システムである。
【００１６】
また本発明は、ＭＢＭＳ（Multimedia Broadcast/Multicast Service）のサービスを提供する移動通信システム内の、端末に対して無線により前記ＭＢＭＳのサービスによる送信データを無線送信する基地局装置における処理方法であって、前記基地局装置のデータ配信検出手段が、前記ＭＢＭＳのサービスによるデータ送信の指示を検出し、前記基地局装置のＰＤＣＰ（Packet Data Convergence Protocol）起動手段が、前記データ送信の指示の検出に基づいて、当該指示により特定される端末であって自装置との通信範囲に位置する配信先の１つまたは複数の前記端末に対して前記ＭＢＭＳのサービスによる無線のデータ送信処理を行う、１つのＰＤＣＰ処理手段を起動し、前記基地局装置の前記ＰＤＣＰ処理手段が、前記指示により特定される端末へ、無線により前記送信データを送信処理することを特徴とする処理方法である。
【００１７】
また本発明は、ＭＢＭＳ（Multimedia Broadcast/Multicast Service）のサービスを提供する移動通信システムにおける処理方法であって、前記ＥＵＴＲＡＮにおけるＭＢＭＳ装置のマルチキャスト送信手段が、サービス提供対象の端末を収容する基地局装置に対して前記ＭＢＭＳのサービスを提供に伴う送信データをマルチキャスト送信し、前記ＥＵＴＲＡＮにおける基地局装置の送信データ受信手段が、前記マルチキャスト送信された前記送信データを受信し、前記基地局装置のデータ配信検出手段が、前記ＭＢＭＳのサービスによるデータ送信の指示を検出し、前記基地局装置のＰＤＣＰ（Packet Data Convergence Protocol）起動手段が、前記データ送信の指示の検出に基づいて、当該指示により特定される端末であって自装置との通信範囲に位置する配信先の１つまたは複数の前記端末に対して前記ＭＢＭＳのサービスによる無線のデータ送信処理を行う、１つのＰＤＣＰ処理手段を起動し、前記基地局装置の前記ＰＤＣＰ処理手段が、前記指示により特定される端末へ、無線により前記送信データを送信処理することを特徴とする処理方法である。
【発明の効果】
【００１８】
本発明によれば、移動通信システムのＥＵＴＲＡＮにおけるＭＢＭＳのサービスについて、ＭＢＭＳデータをヘッダ圧縮して伝送するＰＤＣＰの処理機能を、ｅ−ＮｏｄｅＢ４が備える。ここで、ｅ−ＮｏｄｅＢ４は、データ送信の指示の検出に基づいて、当該指示により特定される端末（ＵＥ）５であって、自装置との通信範囲に位置する配信先の１つまたは複数の端末（ＵＥ）５に対してＭＢＭＳのサービスによる無線のデータ送信処理を行う、１つのＰＤＣＰ（Packet Data Convergence Protocol）エンティティを起動する。
したがって、第２ＭＢＭＳ装置３では、複数のＰＤＣＰエンティティを起動させることはなく、ＩＰ処理部によるＩＰマルチキャストのＭＢＭＳデータの送信だけを行わせることができるので、第１ＭＢＭＳ装置２と第２ＭＢＭＳ装置３の資源を他の用途に有効活用することができる。
【図面の簡単な説明】
【００１９】
【図１】本実施形態による移動通信システムの構成を示すブロック図である。
【図２】本実施形態による移動通信システムの機能ブロック図である。
【図３】本実施形態の移動通信システムにおけるプロトコルスタック図である。
【図４】ＵＴＭＳの通信ネットワークシステムの構成を示す図である。
【図５】ＵＴＭＳにおけるＵＴＲＡＮと端末間の通信ネットワークシステムの構成を示す図である。
【図６】ＵＴＲＡＮと端末間の通信接続の概要を示す図である。
【発明を実施するための形態】
【００２０】
以下、本発明の一実施形態による移動通信システムを図面を参照して説明する。
図１は同実施形態による移動通信システムの構成を示すブロック図である。
この図は、無線アクセスネットワークに、ＥＵＴＲＡＮ（Evolved Universal Mobile Telecommunications network Terrestrial Radio Access network）の仕組みを備えた移動通信システムを示したものであり、このＥＵＴＲＡＮの仕組みを備えた移動通信システムは、ＥＰＣ（Evolved Packet Core）側に、ｅＢＭ−ＳＣ（Evolved Broadcast-Multicast Service Center）１と、第１ＭＢＭＳ装置２と、第２ＭＢＭＳ装置３とを有し、ＥＵＴＲＡＮ側には第１ＭＢＭＳ装置２と第２ＭＢＭＳ装置３とにより管理されるｅ−ＮｏｄｅＢ４を有し、ｅ−ＮｏｄｅＢ４には端末（ＵＥ）５が接続される構成となっている。ＥＵＴＲＡＮは、ＵＴＲＡＮを機能拡張したものであり、上述したＵＴＲＡＮの構成とは少々構成が異なっている。
【００２１】
なお、ｅ−ＮｏｄｅＢ４は、端末（ＵＥ）５の物理レイヤから伝送されたアップリンク情報を受信し、上位ノードから受信したダウンリンクデータを端末（ＵＥ）５に伝送し、端末（ＵＥ）５を、ＥＵＴＲＡＮに連結するアクセスポイントとして作用する。また、ｅ−ＮｏｄｅＢ４は、無線リソースの割り当てと管理とを担当し、ＥＰＣ（Evolved Packet Core）に連結するアクセスポイントとして動作する。また、ｅ−ＮｏｄｅＢ４は、特定の端末（ＵＥ）５に対する無線リソースを管理し、一つのセル（通信範囲をカバーする領域）内の、複数の端末（ＵＥ）５に対する共通リソースを管理する処理を行う。
【００２２】
また第１ＭＢＭＳ装置２は、ＥＵＴＲＡＮへのＭＢＭＳベアラのセッションを制御し、複数のＥＵＴＲＡＮに対するセッション制御メッセージを、ＥＵＴＲＡＮとの間のＭ３インターフェースにより送信する。また第１ＭＢＭＳ装置２は、第２ＭＢＭＳ装置３からＭＢＭＳサービスの制御メッセージと、ＩＰマルチキャストアドレスとを、ＭＢＭＳデータでＳｍインターフェースを介して受付ける。
【００２３】
また第２ＭＢＭＳ装置３は、ｅＢＭ−ＳＣ１との間でＵ−ＰｌａｎｅはＳＧｉ−ｍｂインターフェースを介して、またＣ−ＰｌａｎｅはＳＧｍｂインターフェースを介して受け付け、ＭＢＭＳベアラを利用する処理部に提供する。また第２ＭＢＭＳ装置３は、ＭＢＭＳデータを、ＥＵＴＲＡＮと第２ＭＢＭＳ装置３との間のＭ１インターフェースを介して送信する。
【００２４】
図２は本実施形態の移動通信システムの機能ブロック図である。
この図が示すように、ｅＢＭ−ＳＣ１または第１ＭＢＭＳ装置２または第２ＭＢＭＳ装置３は、ｅ−ＮｏｄｅＢ４との間のセッションをＩＰにより送受信するＩＰ処理部を備ええ、またｅ−ＮｏｄｅＢ４はＩＰにより受信したデータをＰＤＣＰ（Packet Data Convergence Protocol）エンティティ（処理部）により端末（ＵＥ）５へ送信するＰＤＣＰ処理部を備える。
【００２５】
ここで、ＰＤＣＰは、ビット誤りに対する耐性を高めたヘッダ圧縮アルゴリズムであるＲＯＨＣ（robust checksum-based header compression）等によって、有線ネットワークで利用されるヘッダ情報を除去し、データのみを効率良く無線区間に伝送するプロトコルである。したがって、このＰＤＣＰによりデータを送信する処理部を、ｅ−ＮｏｄｅＢ４に備える。これにより、ｅＢＭ−ＳＣ１，ＭＢＭＳデータを送信する第２ＭＢＭＳ装置３には、ＰＤＣＰの下位レイヤであるＲＬＣ（Radio Link Control；無線リンク制御）を行う処理部と、ＭＡＣ（Medium Access Control；媒体アクセス制御）を行う処理部とが不要になり、ｅＢＭ−ＳＣ１と、第１ＭＢＭＳ装置２または第２ＭＢＭＳ装置３の間は、ＩＰプロトコルによって処理できることとなる。
【００２６】
ここで、図５を用いて説明した上述のＵＴＲＡＮにおいては、ＲＮＣ（Radio Network Controller；無線ネットワーク制御装置）において、ＭＢＭＳの１つのサービスごとに、当該ＭＢＭＳのサービスを提供する先の端末（ＵＥ）を収容するＮｏｄｅ−Ｂ数だけ、重複したＰＤＣＰ（Packet Data Convergence Protocol）のエンティティを起動した。そして、当該ＰＤＣＰの各エンティティが、ＭＢＭＳの送信データを送信先となる１つのＮｏｄｅ−Ｂそれぞれに対して送信した。そして、これと同様に、本実施形態によるＥＵＴＲＡＮにおいても、ＲＮＣ（Radio Network Controller；無線ネットワーク制御装置）のＭＢＭＳデータの送信機能を有する第１ＭＢＭＳ装置２や第２ＭＢＭＳ装置３に備えることもできる。しかしながら、第１ＭＢＭＳ装置２や、ＭＢＭＳデータの送信機能を有する第２ＭＢＭＳ装置３にＰＤＣＰの処理機能を備えないようにし、ｅ−ＮｏｄｅＢ４に備えることによって、第１ＭＢＭＳ装置２や第２ＭＢＭＳ装置３では、複数のＰＤＣＰエンティティを起動させることはなく、ＩＰ処理部によるＩＰマルチキャストのＭＢＭＳデータの送信だけを行わせることができるので、第１ＭＢＭＳ装置２と第２ＭＢＭＳ装置３の資源を他の用途に有効活用することができる。
【００２７】
以上により、ｅＢＭ−ＳＣ１と、ＭＢＭＳ装置（第１ＭＢＭＳ装置２，第２ＭＢＭＳ装置３）において、システム資源を効率的に使用することができ、また、ＭＢＭＳサービスの提供先の端末（ＵＥ）５は複数のｅ−ＮｏｄｅＢ４に分散されていることにより、ｅ−ＮｏｄｅＢ４それぞれで起動されるＰＤＣＰエンティティの数も、ＭＢＭＳ装置（第１ＭＢＭＳ装置２，第２ＭＢＭＳ装置３）内で起動されるＰＤＣＰエンティティの数より少なくなるため、これにより、多くのＭＢＭＳサービスを要求された場合でもサービス遅延なく処理できることが可能となる。
【００２８】
なお、ＥＵＴＲＡＮにおけるＭＢＭＳサービスは、ＭＢＭＳ制御情報を端末（ＵＥ）５に伝送するためのＭＣＣＨと、ＭＢＭＳデータを端末（ＵＥ）５に伝送するためのＭＴＣＨの２つの論理チャネルからなる。一つのＭＣＣＨは各セル内に存在し、一つのＭＴＣＨは特定のセル内の特定ＭＢＭＳのサービス毎に対して存在する。論理チャネルの全てはＭＣＨとＰＭＣＨにマッピングされる。
【００２９】
図３は、本実施形態の移動通信システムにおけるプロトコルスタック図である。
この図では、ＭＢＭＳ装置（第１ＭＢＭＳ装置２，第２ＭＢＭＳ装置３）と、ｅ−ＮｏｄｅＢ４との間の有線インターフェースプロトコルのアーキテクチャを示している。この図より、有線インターフェースプロトコルにおいては、Ｌ１（物理層）、Ｌ２（データリンク層）、Ｌ３（ネットワーク層）から構成され、ユーザデータ情報及びシグナルリング情報がパケットにより伝送される。
【００３０】
また、ｅ−ＮｏｄｅＢ４において、ＩＰ３１は、受信したパケットを転送先に送信する処理を行う。ここで、パケットは、ソースアドレスとデスティネーションアドレス等の情報を持つＩＰヘッダと、通信データを格納するペイロードとで構成される。このペイロード部分には、ＴＣＰやＵＤＰ等のＬ４（トランスポート層）に対応するデータが格納されており、通信データの種別によって使い分けられる。ＭＢＭＳデータはこのＬ４（トラン
スポート層）で伝送される。ｅ−ＮｏｄｅＢ４は、有線インターフェースプロトコルによってＭＢＭＳデータを受信し、ｅ−ＮｏｄｅＢ４内の無線インターフェースプロトコルの処理部にＭＢＭＳデータを渡す。
【００３１】
また端末５（ＵＥ）と、ｅ−ＮｏｄｅＢ４との間の無線インターフェースプロトコルのアーキテクチャについて説明する。端末５（ＵＥ）と、ｅ−ＮｏｄｅＢ４との間においける無線インターフェースプロトコルは、Ｌ１（物理層）、Ｌ２（データリンク層）、Ｌ３（ネットワーク層）から構成される。無線インターフェースプロトコルはユーザデータ情報を伝送するためのＵ−Ｐｌａｎｅ、シグナルリング情報を伝送するためのＣ−Ｐｌａｎｅから構成される。ここで、Ｕ−Ｐｌａｎｅは音声信号またはパケット信号などを伝送し、ＭＢＭＳデータもこれに該当する。Ｃ−Ｐｌａｎｅはユーザデータを伝送するための設定を各端末５（ＵＥ）に伝送する。
【００３２】
また、このプロトコルスタック図において、ＰＤＣＰ４０は無線インターフェースプロトコルの最上位レイヤでＲＬＣ（Radio Link Control；無線リンク制御）の上に位置する。ＰＤＣＰ４０は、無線インターフェースを介して、ネットワークプロトコルにより受信したデータを效率よく伝送するため、ＲＯＨＣ等によって、有線ネットワークで利用されるヘッダ情報を除去し、データのみ無線区間に伝送する。ＭＢＭＳデータはこのＰＤＣＰによって処理され、下位レイヤのＲＬＣ（Radio Link Control；無線リンク制御）へＳＤＵ（Service Data Unit）として渡される。
【００３３】
また、ＲＬＣ（Radio Link Control；無線リンク制御）３０は、データの送達確認機能を提供する。上位レイヤからＭＢＭＳデータをＳＤＵ（Service Data Unit）として渡され、ＲＬＣ（Radio Link Control；無線リンク制御）の処理能力に合せるためにデータサイズが調節され、また、ＲＬＣ ＳＤＵの分割と結合を実施する。ＲＬＣ ＳＤＵはＰＤＵとしてＭＡＣに伝えられ、ＰＣＩ(Protocol Contorol Information)がＲＬＣ ＳＤＵに付加される。ＲＬＣバッファは上位レイヤから伝えられるＲＬＣ ＳＤＵまたはＲＬＣ ＰＤＵを格納するためにＲＬＣに存在する。
【００３４】
ＭＡＣ（Medium Access Control；媒体アクセス制御）２０は無線リソースの割当と再割当のためのＭＡＣパラメータを提供する。ＭＡＣは論理チャネルを介して上位レイヤとしてのＲＬＣ（Radio Link Control；無線リンク制御）に連結される。論理チャネルは、データタイプにしたがって、制御チャネルまたはトラフィックチャネルとして分類される。一般に、制御チャネルはＣ−Ｐｌａｎｅの情報を伝送する時に使われて、トラフィックチャネルはＵ−Ｐｌａｎｅの情報を伝送するのに使われる。
【００３５】
ＰＨＹ１０は各種の無線伝送技術を用いて伝送サービスを上位レイヤに提供する。ＰＨＹはトランスポートチャネルを介して上位レイヤのＭＡＣにリンクされる。データはＭＡＣとＰＨＹとの間にトランスポートチャネルを介して伝えられる。
【００３６】
次に、ＰＤＣＰを起動するｅ−ＮｏｄｅＢ４の処理について説明する。
まず、ＥＵＴＲＡＮにおける第２ＭＢＭＳ装置３が、サービス提供対象の端末（ＵＥ）５を収容するｅ−ＮｏｄｅＢ４に対してＭＢＭＳのサービスを提供に伴う送信データをマルチキャスト送信する。そして、ＥＵＴＲＡＮにおけるｅ−ＮｏｄｅＢ４が、マルチキャスト送信された送信データを受信し、ＭＢＭＳのサービスによるデータ送信の指示を検出する。するとｅ−ＮｏｄｅＢ４は、データ送信の指示の検出に基づいて、当該指示により特定される端末（ＵＥ）５であって、自装置との通信範囲に位置する配信先の１つまたは複数の端末（ＵＥ）５に対してＭＢＭＳのサービスによる無線のデータ送信処理を行う、１つのＰＤＣＰ（Packet Data Convergence Protocol）エンティティを起動する。そして、指示により特定される端末（ＵＥ）５へ、ＰＤＣＰを用いて、無線により送信データを送信処理する。
【００３７】
以上、本実施形態における移動通信システムについて説明したが、上述のＥＵＴＲＡＮの仕組みによれば、移動通信システムのＥＵＴＲＡＮにおけるＭＢＭＳのサービスについて、ＭＢＭＳデータをヘッダ圧縮して伝送するＰＤＣＰの処理機能を、ｅ−ＮｏｄｅＢ４が備える。ここで、ｅ−ＮｏｄｅＢ４は、データ送信の指示の検出に基づいて、当該指示により特定される端末（ＵＥ）５であって、自装置との通信範囲に位置する配信先の１つまたは複数の端末（ＵＥ）５に対してＭＢＭＳのサービスによる無線のデータ送信処理を行う、１つのＰＤＣＰ（Packet Data Convergence Protocol）エンティティを起動する。
したがって、第２ＭＢＭＳ装置３では、複数のＰＤＣＰエンティティを起動させることはなく、ＩＰ処理部によるＩＰマルチキャストのＭＢＭＳデータの送信だけを行わせることができるので、第１ＭＢＭＳ装置２と第２ＭＢＭＳ装置３の資源を他の用途に有効活用することができる。
【００３８】
なお、上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３９】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４０】
１・・・ｅＢＭ−ＳＣ
２・・・第１ＭＢＭＳ装置
３・・・第２ＭＢＭＳ装置
４・・・ｅ−ＮｏｄｅＢ
５・・・端末（ＵＥ）
【図１】
2010178157.tif 000003
【図２】
2010178157.tif 000004
【図３】
2010178157.tif 000005
【図４】
2010178157.tif 000006
【図５】
2010178157.tif 000007
【図６】
2010178157.tif 000008